(57)【要約】【課題】ベッド本体上にベッドマットレスを置きその上にベッドパッドを敷きそれらをシーツで被っており、従来は、ベッドマットレスの厚さは１５〜２０ｃｍ程度であったが、現在のマットレスの厚さは輸入品にあっては４０ｃｍを超えるものまで存在している。本考案はそれらの厚さに対応可能な固定手段を有し確実に固定可能な弾褥体を提供する。【解決手段】弾褥体本体平面形状が方形をなし４つの端縁によって囲われている。そして、前記４つの端縁の内、並列する２本の端縁又は交差する２本の端縁の、それぞれに端部を固定してＵ字状に緊締帯を設けベッド専用弾褥体としている。この緊締帯は弾褥体をベッドに敷いた際にベッドマットの下にＵ字形を形成するように通してベッドマット上に弾褥体を固定する。【選択図】図１
0003137914.tif 000002
【実用新案登録請求の範囲】
【請求項１】
平面形状が方形を成しているベッド専用弾褥体本体の平行し或は交差する２つの端縁部のそれぞれに両端部を固定して、伸縮性を有する緊締帯を設け、該緊締帯の表面をゴム等の滑りにくい材料が現れている弾性体よりなるものとし、前記緊締帯にはその長さ調節するバックルを設けてなるベッド専用弾褥体。
【請求項２】
緊締体は、伸縮性を有しないものである請求項１記載のベッド専用弾褥体。
【請求項３】
緊締体は、伸縮性を有するものである請求項１記載のベッド専用弾褥体。
【請求項４】
緊締帯は、ゴム等の滑りにくい糸条体が表面に位置するよう編織した帯状体であることを特徴とする請求項１記載のベッド専用弾褥体。
【請求項５】
緊締帯は、ゴム等の滑りにくい材料を表面にコーティングしたことを特徴とする請求項１記載のベッド専用弾褥体。
【考案の詳細な説明】
【技術分野】
【０００１】
本考案は、就寝中の発汗による寝床内湿度調節のため吸湿及び湿気の発散性を発揮するために使用するベッド専用弾褥体に関する。
【背景技術】
【０００２】
普通、人間は一晩寝ている間に新陳代謝や体温調節のために約２５０ｃｃ程度の発汗を伴う。そのためベッドを使用する場合、前記発汗による寝床内湿度調節のため、吸湿及び湿気の発散性を有する弾褥体をベッドのマットレスと身体との間に敷いて使用する。
また、この弾褥体はベッドの硬さを和らげ、体圧分散効果も有し、マットレスと弾褥体とをセットで考えることが正しいとも云われている。
【０００３】
弾褥体はマットレスとベッド用シーツの間に使用されるが、睡眠中の体動によりシーツの下で動いてしまう難点があった。そのため弾褥体の4 隅に３０〜４０ｃｍ程度のゴムを環状に取り付け、弾褥体をマットレスに取り付け固定する手段が採用されているが（特許文献１）、一般的には厚さが１５〜２０ｃｍ程度のマットレスにしか対応出来なかった。そして長さをマットレスの厚味に対応して長くすると止め具の締め付けがゆるくなり滑り止め機能が満足しない事例も生じていた。
【特許文献１】特開２００２−２８０６１号公報
【考案の開示】
【考案が解決しようとする課題】
【０００４】
ベッドを用いて就寝しようとする場合、ベッド本体上にベッドマットレスを置きその上にベッドパッド（弾褥体）を敷きそれらをシーツで被っているが、従来は、ベッドマットレスの厚さは１５〜２０ｃｍ程度であったが、現在のマットレスの厚さは輸入品にあっては４０ｃｍを超えるものまで存在している。本考案はそれらの厚さに対応可能な固定手段を有し確実に固定可能な弾褥体を提供することを目的としている。
【課題を解決するための手段】
【０００５】
本考案のベッド弾褥体は、本体平面形状が方形をなし４つの端縁によって囲われている。そして、前記４つの端縁の内、並列する２本の端縁又は交差する２本の端縁のそれぞれに端部を固定してＵ字状に緊締帯を設けベッド専用弾褥体としている。この緊締帯は弾褥体をベッドに敷いた際にベッドマットの下にＵ字形を形成するように通してベッドマット上に弾褥体を固定するためのものである。
【０００６】
緊締帯は伸縮性を有し或は有さず、ゴム等の滑りにくい材料が表面に現われており、具体的には上記滑りにくい材料は糸条体よりなり該糸条体が緊締帯表面に位置するよう帯状に編織したものとする。或いは、滑りにくい材料を緊締帯表面にコーティングしたものとする。
【考案の効果】
【０００７】
本考案ベッド専用弾褥体は、平面形状が方形を成しているベッド専用弾褥体本体の平行し或は交差する２つの端縁部のそれぞれに両端部を固定して、伸縮性を有する緊締帯を設け、該緊締帯の表面をゴム等の滑りにくい材料が現れている弾性体よりなるものとしたために、ベッドパッドをベッドマットに装着する際に、Ｕ字形の緊締帯をベッドマットの下側に掛け込むのみで容易に装着でき、かつ、ベッドマットの厚味が増加している場合であってもバックル位置の調節で緊締帯の長さをベッドマットの厚味に対応して変更することが可能であり、かつ、緊締帯の表面が滑りにくい材料が現れているためにベッドマットの厚味が大となった際にも、使用中にずれの生ずるようなことはなくベッドマット上に弾褥体を保持することが出来る。
【考案を実施するための最良の形態】
【０００８】
本考案ベッド専用弾褥体を図面と共に次に説明する。
図１のＡは第１の実施例の底面図、図１のＢは第２の実施例の底面図、図２は第１の実施例を側面から見た斜視図、図３Ａは第１の実施例のコーナー部の拡大底面図、図３Ｂはバックル部分の断面図、図４は緊締帯の平面図、図５は緊締帯の第２の実施例の断面図である。
【０００９】
ベッド専用弾褥体１は就寝時の発汗を吸収しそれを発散する作用を行う天然及び又は合成繊維等の、或はその他必要ならばビーズ状，小管状等の詰物２を、表裏側地３，４で覆い表裏側地の周囲の端縁部５ａ，５ｂ，５ｃ，５ｄを縫製してなる袋体６内に詰めて弾褥体本体１ａとしている。弾褥体本体１ａには必要に応じキルティング７が施され内部の詰物２の移動を阻止している。
【００１０】
弾褥体本体１ａには弾褥体本体１ａをベッドマットレス８に固定するための緊締帯９を取り付ける。緊締帯９の一例を図３に示す。緊締帯９は定長帯１０と伸長帯１１とよりなり定長帯１０，伸長帯１１共にその端部１０ａ，１１ａを弾褥体本体１ａの平行し或いは交差する２つの端縁部に縫着固定している。図１Ａ，図２，図３に示す例では、弾褥体本体１ａの交差する２つの端縁部５ａ，５ｄ間にコーナー１２を頂点とし、緊締帯９が底辺となる三角形状に設けている。この配置では全コーナー４個所に設けることになる。また、図１Ｂに示すごとく、弾褥体本体１ａの平行する２つの端縁部５ｂ，５ｄ間に弾褥体本体１ａを横切る状態で緊締帯９を設けても良い。
【００１１】
緊締帯９は前記の如く、定長帯１０と伸長帯１１とよりなるが、定長帯１０の一端には環状金具１３を設け、環状金具１３の環内に伸長帯１１をＵ字形に折り返して通し、その端部を日字形のバックル１４の中央バー１４ａに固定する。
そして、前記Ｕ字形に折り返した一方の伸長帯をバックル１４の中央バー１４ａ及びその両側のザイドバー１４ｂ，１４ｃにジグザグに通しバックル１４の位置を伸長帯１１上で変化させることで緊締帯９の端部１０ａと端部１１ａとの間の長さを変更することを可能にしている。緊締帯９の長さは使用するベッドマットレス８の厚さによって調節し、バックル１４の位置を変化することで緊締帯９の端部１０ａ，１１ａ間の長さ調節することで図１及び図２に示す如く、ベッドマットレス８のコーナー部を斜に三角形状にクロスし或いはベッドマットレスの２つの平行する長辺の間に渡るように緊締帯９を配して、弾褥体本体１ａとベッドマットレス８とを一体化する。
【００１２】
上記の態様で弾褥体本体１とベッドマットレス８とを一体化した上でベッドメイキングされるが就寝中に弾褥体本体１とベッドマットレス８とが移動してしまうことを防止するため緊締帯の表面を滑りにくい面としている。即ち、図４に示す例では細幅に製織した経緯糸よりなる帯状体を緊締帯とし経糸に伸縮性を有する糸と、ゴム或いはベアスパンデックス等の滑りにくい材料の糸１５とを用い、滑りにくい材料の経糸１５はその他の経糸より太く、織地表面に浮き出るように組織され、緯糸には非伸縮性の糸を用いて緊締帯の強さを得、型くずれを生じないようにしている。
【００１３】
また、図５に示すように細幅に製織した緊締帯９の表面に滑りにくい樹脂性塗幕１６を設けても良い。
【産業上の利用可能性】
【００１４】
本考案ベッド用弾褥体は、使用するベッドに応じ或いは好みに応じて厚味の異なるベッドマットレスに変更する場合、ベッドマットレスの厚さに応じてベッドマットレスと弾褥体とを緊締する緊締帯の長さを調節することを可能にし、かつ、緊締帯表面の滑りにくい材料の糸の存在により、ずれ等の生ずることがなくベッド専用弾褥体とベッドマットレスとを固定することを可能にしているため、就寝環境の変化に応じて常に最適の環境のもとに就眠することを可能としている。
【図面の簡単な説明】
【００１５】
【図１】Ａは本考案のベッド専用弾褥体の第１の実施例の底面図。Ｂは本考案のベッド専用弾褥体の第２の実施例の底面図。
【図２】第１の実施例を側面から見た斜視図。
【図３】Ａは第１の実施例のコーナー部の拡大底面図、Ｂはバックル部分の断面図。
【図４】緊締帯の平面図。
【図５】緊締帯の第２の例の断面図。
【符号の説明】
【００１６】
１  ベッド専用弾褥体
１ａ  弾褥体本体
２  詰物
３  表側地
４  裏側地
５ａ，５ｂ，５ｃ，５ｄ  端縁部
６  袋体
７  キルティング
８  ベッドマットレス
９  緊締帯
１０  定長帯
１０ａ  端部
１１  伸長帯
１１ａ  端部
１２  コーナー
１３  環状金具
１４  バックル
１４ａ  中央バー
１５  滑りにくい材料の糸
１６  樹脂性塗幕
【図１】
0003137914.tif 000003
【図２】
0003137914.tif 000004
【図３】
0003137914.tif 000005
【図４】
0003137914.tif 000006
【図５】
0003137914.tif 000007